(57)【要約】  【課題】  軸の回転角制限を実効ならしめる。  【解決手段】  リング板１の孔２に軸３が通されて、この軸３が前記リング板１に対して回転可能とされ、前記リング板１は互いに結合された一対の半筒体８の内部に挟み固定されている。前記軸３の少なくとも片側にはカット面４が形成され、その基部側の外周面は一部に凸部５が残存するように円筒面６として形成されている。前記リング板１の孔２の縁部には内向きの爪部７が形成され、この爪部７と前記軸３のカット面４を位置合わせした状態で前記軸３が前記リング板１の孔２に通されて、前記爪部７は前記円筒面６の外周に位置され、前記軸３の回転に伴って前記凸部５は前記爪部７に当接可能とされる。前記リング板１の孔２の形状を、前記爪部７を通る内径をこれに直交する方向の内径よりわずかに長くした長円形とし、前記爪部７の突出長もほぼその分長くする。【選択図】  図８
2005054939.tif 000002
【特許請求の範囲】
【請求項１】
下記要件(A)〜(D)を備えた軸の回転角制限装置。
(A) リング板の孔に軸が通されて、この軸が前記リング板に対して回転可能とされ、前記リング板は互いに結合された一対の半筒体の内部に挟み固定されている。
(B) 前記軸の少なくとも片側にはカット面が形成され、その基部側の外周面は一部に凸部が残存するように円筒面として形成されている。
(C) 前記リング板の孔の縁部には内向きの爪部が形成され、この爪部と前記軸のカット面を位置合わせした状態で前記軸が前記リング板の孔に通されて、前記爪部は前記円筒面の外周に位置され、前記軸の回転に伴って前記凸部は前記爪部に当接可能とされる。
(D) 前記リング板の孔の形状を、前記爪部を通る内径をこれに直交する方向の内径よりわずかに長くした長円形とし、前記爪部の突出長もほぼその分長くする。
【発明の詳細な説明】
【技術分野】
【０００１】
本発明は、配線ダクトに取り付けられるライティングプラグ側の軸のような軸の回転角を制限する装置に関する。
【背景技術】
【０００２】
配線ダクトに取り付けられるライティングプラグにおいて、下記要件(A)〜(C)を備えた軸の回転角制限装置は知られている。(図９参照)
(A) リング板１の孔２に軸３が通されて、この軸３が前記リング板１に対して回転可能とされ、前記リング板１は互いに結合された一対の半筒体(図９では図示せず)の内部に挟み固定されている。
(B) 前記軸３の両側(片側だけでも可)にはカット面４が形成され、その基部側の外周面は一部に凸部５が残存するように円筒面６として形成されている。
(C) 前記リング板１の孔２の縁部には内向きの爪部７が形成され、この爪部７と前記軸３のカット面４を位置合わせした状態(図９(A))で前記軸３が前記リング板１の孔２に通されて、前記爪部７は前記円筒面６の外周に位置され、前記軸３の回転に伴って前記凸部５は前記爪部７に当接可能とされる(図９(B))。
ここで、リング板１の孔２の形状は円形である。そして例えば、軸３の内部に通されるコード(図示せず)を過度のねじれから保護するために、軸３の回転角が制限されている。なお、図９(B)では、軸３に対して相対的にリング板１が回転したように図示してある。
【発明の開示】
【発明が解決しようとする課題】
【０００３】
前記背景技術においては、爪部７と軸３のカット面４を位置合わせした状態(図９(A))で、軸３をリング板１の孔２に通す必要があるため、爪部７の突出長をあまり大きくできない。そうすると、軸３の回転に伴って凸部５が爪部７に当接した場合(図９(B))に、リング板１に矢印方向の力が作用するので前記一対の半筒体が開く方向になって、軸３の中心線aに対してリング板１の中心線bが矢印方向にぶれて、凸部５が爪部７を乗り越える場合があり、回転角の制限が不可能になる。本発明はこのような解決すべき課題を鑑み、軸の回転角制限を実効ならしめることを目的とする。
【課題を解決するための手段】
【０００４】
本発明を要約すると、下記要件(A)〜(D)を備えた軸の回転角制限装置である。
(A) リング板の孔に軸が通されて、この軸が前記リング板に対して回転可能とされ、前記リング板は互いに結合された一対の半筒体の内部に挟み固定されている。
(B) 前記軸の少なくとも片側にはカット面が形成され、その基部側の外周面は一部に凸部が残存するように円筒面として形成されている。
(C) 前記リング板の孔の縁部には内向きの爪部が形成され、この爪部と前記軸のカット面を位置合わせした状態で前記軸が前記リング板の孔に通されて、前記爪部は前記円筒面の外周に位置され、前記軸の回転に伴って前記凸部は前記爪部に当接可能とされる。
(D) 前記リング板の孔の形状を、前記爪部を通る内径をこれに直交する方向の内径よりわずかに長くした長円形とし、前記爪部の突出長もほぼその分長くする。
【発明の効果】
【０００５】
本発明によれば、爪部の突出長を長くできるため、軸の回転角を的確に制限できるという効果を奏する。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図１〜８に示した本発明による実施形態は、下記要件(A)〜(D)を備えた軸の回転角制限装置である。
(A) リング板１の孔２に軸３が通されて、この軸３が前記リング板１に対して回転可能とされ、前記リング板１は互いに結合された一対の半筒体８の内部に挟み固定されている。
(B) 前記軸３の少なくとも片側にはカット面４が形成され、その基部側の外周面は一部に凸部５が残存するように円筒面６として形成されている。
(C) 前記リング板１の孔２の縁部には内向きの爪部７が形成され、この爪部７と前記軸３のカット面４を位置合わせした状態(図６、図７、図８(A))で前記軸３が前記リング板１の孔２に通されて、前記爪部７は前記円筒面６の外周に位置され、前記軸３の回転に伴って前記凸部５は前記爪部７に当接可能とされる(図８(B))。
(D) 前記リング板１の孔２の形状を、前記爪部７を通る内径(図８(A)の縦方向)をこれに直交する方向の内径(図８(A)の横方向)よりわずかに長くした長円形とし、前記爪部７の突出長もほぼその分長くする。
【０００８】
さらに詳述すれば、軸３はパイプ９の上端に連続的に形成され、パイプ９の下端には照明器具などが取り付けられ、その照明器具からの電源コード(図示せず)がパイプ９と軸３の内部に通されて、半筒体８の内部の導電片１０に接続され、導電片１０の折り曲げ上端は半筒体８の上端に露出され、図外の配線ダクトに対して着脱接続される。
【０００９】
軸３にはリング板１の他に波ワッシャー１１、ワッシャー１２、１３が装着され、ナット１４が軸３の端部に螺合される。半筒体８同士はビス１５にて互いに結合され、この際、リング板１は半筒体８の溝１６に嵌めこまれるとともに、リング板１の外周の切り欠き１７に対して前記溝１６内の凸部１８が係止されている。
【００１０】
本実施形態によれば、図８(A)のようにリング板１を下方向にずらすことにより、爪部７の突出長が長いにもかかわらず、爪部７と軸３のカット面４を位置合わせした状態で軸３をリング板１の孔２に通すことができる。そして、リング板１と軸３のずれを戻した整合位置では、爪部７の先端が円筒面６に極近接または当接された状態となり、軸３の回転に伴って凸部５は爪部７に当接可能になる(図８(B))。この当接により、リング板１に図８(B)の矢印方向の力が作用して一対の半筒体８、８が開く方向になり、軸３の中心線aとリング板１の中心線bがずれても、凸部５と爪部７とは充分にストッパー作用が発揮され、軸３の回転角制限が実効ならしめられる。なお、図８(B)では、軸３に対して相対的にリング板１が回転したように図示している。
【図面の簡単な説明】
【００１１】
【図１】軸などの部分分解正面図
【図２】半筒体の内面図
【図３】軸などを組み込んだ状態の半筒体の内面図
【図４】一対の半筒体の結合時側面図
【図５】同横断面図
【図６】要部分解斜視図
【図７】同組立斜視図
【図８】(A)同横断面図、(B)同回転角制限時の横断面図
【図９】(A)従来例の要部横断面図、(B)同回転角制限時の横断面図
【符号の説明】
【００１２】
１  リング板
２  孔
３  軸
４  カット面
５  凸部
６  円筒面
７  爪部
８  半筒体
【図１】
2005054939.tif 000003
【図２】
2005054939.tif 000004
【図３】
2005054939.tif 000005
【図４】
2005054939.tif 000006
【図５】
2005054939.tif 000007
【図６】
2005054939.tif 000008
【図７】
2005054939.tif 000009
【図８】
2005054939.tif 000010
【図９】
2005054939.tif 000011